(57)【特許請求の範囲】
【請求項１】
貨幣の収納を行う貨幣収納部と、
外部から内部に取り込まれた貨幣を識別した後にリサイクル式貨幣収納部分に一時的に収納するとともにこのリサイクル式貨幣収納部分に収納された貨幣を前記貨幣収納部に送ったり外部に投出したりする貨幣リサイクル処理部と、
包装硬貨を包装硬貨収納部分に収納するとともにこの包装硬貨収納部分に収納された包装硬貨を外部に投出する包装硬貨投出部と、
中央制御装置と通信可能に構成され、前記貨幣収納部および前記包装硬貨投出部のそれぞれから前記中央制御装置に対して信号を送信する制御部と、
を備えたことを特徴とする貨幣処理機。
【請求項２】
前記制御部から前記中央制御装置に対して送信される信号は、前記貨幣収納部または前記包装硬貨投出部の状態を示す信号であることを特徴とする請求項１に記載の貨幣処理機。
【請求項３】
前記制御部は、前記中央制御部から前記貨幣収納部および前記包装硬貨投出部のそれぞれに対する信号を受信することを特徴とする請求項１または２のいずれかに記載の貨幣処理機。
【請求項４】
前記制御部が前記中央制御部から受信する信号は、前記貨幣収納部および前記包装硬貨投出部を遠隔操作するための信号であることを特徴とする請求項３に記載の貨幣処理機。
【請求項５】
前記制御部は、前記包装硬貨投出部に収納された前記包装硬貨が外部に投出されると、投出された前記包装硬貨に関する信号を前記中央制御装置に送信することを特徴とする請求項１乃至４のいずれか１項に記載の貨幣処理機。
【請求項６】
前記貨幣リサイクル処理部は第１の管理権限下にあり、前記貨幣収納部および前記包装硬貨投出部は第２の管理権限下にあることを特徴とする請求項１乃至５のいずれか１項に記載の貨幣処理機。
【請求項７】
前記制御部は、前記貨幣リサイクル処理部に収納された貨幣が前記貨幣収納部に送られると、この貨幣の管理権限が前記第１の管理権限下から前記第２の管理権限下に移行したことに関する情報を出力することを特徴とする請求項６に記載の貨幣処理機。
【発明の詳細な説明】
【技術分野】
【０００１】
本発明は、筐体の外部から内部に取り込まれた紙幣や硬貨等からなる貨幣を識別した後に一時的にリサイクル式貨幣収納部分に収納するとともに、この収納された貨幣を貨幣収納部に送ったり筐体の外部に投出したりする貨幣処理システムに関する。なお、本明細書における「貨幣」は紙幣であっても硬貨であってもよい。
【背景技術】
【０００２】
従来より、店舗等において売上金等の貨幣の入金処理、釣銭等の貨幣の出金処理、および売上金等の回収業務を委託された警備会社の警備員等の収集特定者への貨幣の引渡処理を行う貨幣処理機が知られている。このような貨幣処理機は、貨幣の収納を行う貨幣収納部と、筐体の外部から内部に取り込まれた貨幣を一時的に収納するとともに、この収納された貨幣または筐体の外部から内部に取り込まれた貨幣を貨幣収納部に送ったり筐体の外部に投出したりする貨幣リサイクル処理部と、を備えている。貨幣リサイクル処理部に収納された貨幣（上部の貨幣）と、貨幣収納部に収納された貨幣（下部の貨幣）の管理権限は区別されており、前者の管理権限は貨幣処理機に対して入金処理や出金処理を行う店舗側にあり、後者の管理権限は貨幣処理機から紙幣の回収を行う収集特定者側にある。よって、貨幣処理機の上部の貨幣に対する入金処理、出金処理、引渡処理等の操作や、上部の貨幣の入出金情報や在高データへのアクセスは店舗側の権限のある操作者のみが行うことができ、一方、貨幣処理機の下部の貨幣の回収は収集特定者のみが行うことができる。
【０００３】
特開２００３−１４１６０９号公報には、店舗に設置され、店舗における売上金を入金し、また店舗の釣銭等の準備金を出金することができる店舗用入出金処理装置が開示されている。この店舗用入出金処理装置では、入金された現金を、リサイクル収納部に収納され店舗の釣銭用に出金される店舗準備金と、金融機関への送金対象であり出金されることのない店舗売上高とに区別して管理している。ここで、店舗準備金を出金する場合は、出金額を入力することにより、この入力された出金額の貨幣がリサイクル収納部から繰り出され、出金されるようになっている。一方、店舗売上金として警備会社等に引き渡された貨幣は、警備会社等によって回収されるとともに、警備会社等のホストコンピュータまたは店舗のホストコンピュータにおいて、警備会社等に引き渡された貨幣の金額に関して金融機関への送金データが作成され、この引き渡された貨幣の金額が店舗側の銀行口座に入金されるようになっている。警備会社等のホストコンピュータには、店舗用入出金装置における入出金データ等が送信されるようになっている。
【発明の開示】
【０００４】
上述のような、特開２００３−１４１６０９号公報に開示される店舗用入出金処理装置では、店舗準備金として、バラ紙幣およびバラ硬貨を準備することができる。しかしながら、実際に店舗の釣銭として必要とされるのは、バラ紙幣やバラ硬貨の他に、包装硬貨が挙げられる。ここで、従来の店舗用入出金処理装置では、包装硬貨を、店舗の釣銭等の準備金として準備することができないので、店舗側の操作者は警備会社に包装硬貨を発注して取り寄せている。例えば、店舗側の操作者は、曜日毎に必要な包装硬貨の金種や各金種毎の本数または金額に係る情報を警備会社にＦＡＸしたり、または過去の発注履歴に基づいて、包装硬貨を警備会社から取り寄せている。しかしながら、包装硬貨の本数としては、準備金として包装硬貨が不足してはいけないので、必要以上の包装硬貨が手配されて余剰な包装硬貨が警備会社から店舗に取り寄せられている。このため、店舗において資金効率が悪くなってしまうという問題がある。
【０００５】
本発明は、このような点を考慮してなされたものであり、店舗に設置される貨幣処理機に包装硬貨投出部を設け、中央制御装置と包装硬貨投出部との間で信号の送受信を行うことができるようにすることにより、店舗の釣銭等の準備金として、バラ紙幣やバラ硬貨の他に包装硬貨を準備することができる貨幣処理システムを提供することを目的とする。
【０００６】
本発明の貨幣処理システムは、貨幣の入出金処理を行うための貨幣処理システムであって、貨幣の収納を行う貨幣収納部と、外部から内部に取り込まれた貨幣を識別した後にリサイクル式貨幣収納部分に一時的に収納するとともにこのリサイクル式貨幣収納部分に収納された貨幣を前記貨幣収納部に送ったり外部に投出したりする貨幣リサイクル処理部と、包装硬貨を包装硬貨収納部分に収納するとともにこの包装硬貨収納部分に収納された包装硬貨を外部に投出する包装硬貨投出部と、前記貨幣収納部、前記貨幣リサイクル処理部および前記包装硬貨投出部を制御する制御部と、を有する貨幣処理機と、前記貨幣処理機と通信接続されており、前記貨幣処理機の遠隔操作を行う中央制御装置とを備え、前記中央制御装置は、前記貨幣処理機における前記貨幣収納部および前記包装硬貨投出部のそれぞれ対して信号の送受信を行うことを特徴とする。
【０００７】
本発明の貨幣処理システムにおいては、前記貨幣リサイクル処理部は第１の管理権限下にあり、前記貨幣収納部および前記包装硬貨投出部は第２の管理権限下にあることが好ましい。
【０００８】
本発明の貨幣処理システムにおいては、前記貨幣リサイクル処理部の前記リサイクル式貨幣収納部分に収納された貨幣が前記貨幣収納部に送られると、この貨幣の管理権限は前記第１の管理権限下から前記第２の管理権限下に移行し、この貨幣に相当する金額が前記第１の管理権限に関連する金融機関の口座に入金され、前記包装硬貨投出部の前記包装硬貨収納部分に収納された包装硬貨が外部に投出されると、この包装硬貨の管理権限は前記第２の管理権限下から前記第１の管理権限下に移行し、この包装硬貨に相当する金額が前記第１の管理権限に関連する金融機関の口座から出金されることが好ましい。
【０００９】
本発明の貨幣処理システムにおいては、両替モードを含む複数のモードを選択可能な操作部が設けられており、前記操作部において両替モードが選択された場合、前記貨幣処理機の前記制御部は、前記貨幣処理機に投入された貨幣を前記貨幣収納部に収納させた後に、前記貨幣リサイクル処理部および／または前記包装硬貨投出部を制御して両替貨幣を投出し、この両替処理に関する情報を前記中央制御装置に送信するようになっていることが好ましい。ここで、両替貨幣としては、包装硬貨およびリサイクル紙幣が挙げられる。
【００１０】
あるいは、両替モードを含む複数のモードを選択可能な操作部が設けられており、前記操作部において両替モードが選択された場合、前記貨幣処理機の前記制御部は、前記貨幣処理機に投入された貨幣を前記貨幣収納部に収納させた後に、この収納処理に関する情報を前記中央制御装置に送信し、前記中央制御装置は、前記収納処理に関する情報が妥当であるか否かを判断し、妥当であると判断した場合に前記貨幣処理機の前記制御部に対して両替処理に関する情報を送信し、前記貨幣処理機の前記制御部は、両替処理に関する情報に基づいて両替貨幣を投出するように、前記貨幣リサイクル処理部および／または前記包装硬貨投出部の制御を行うようになっていてもよい。
【００１１】
上述のような貨幣処理システムにおいては、前記操作部において両替モードが選択された場合、前記操作部により１または複数の両替金種および各両替金種における貨幣の数量または金額を入力するようになっており、前記制御部は、前記操作部により入力された両替金種の貨幣を入力された数量または金額分だけ前記貨幣処理機から投出するように、前記貨幣リサイクル処理部および／または前記包装硬貨投出部を制御するようになっていることがより好ましい。
【００１２】
あるいは、上述のような貨幣処理システムにおいては、操作者の情報を特定するための操作者特定部と、貨幣の両替処理に係る１または複数の両替金種および各両替金種における貨幣の数量または金額からなる両替パターンに係る情報が操作者毎に１または複数記憶された記憶部と、前記記憶部に記憶された１または複数の両替パターンを選択するための選択部とがそれぞれ設けられており、前記制御部は、前記操作者特定部により操作者の情報が特定された場合、前記記憶部に記憶された１または複数の両替パターンのうち操作者が前記選択部により選択した一の両替パターンにおける両替金種の貨幣を前記記憶部に記憶された数量または金額分だけ前記貨幣処理機から投出するように、前記貨幣リサイクル処理部および／または前記包装硬貨投出部を制御するようになっていてもよい。
【図面の簡単な説明】
【００１３】
【図１Ａ】本発明の一の実施の形態における貨幣処理システムの構成を示すブロック図である。
【図１Ｂ】本発明の一の実施の形態における貨幣処理システムの他の構成を示すブロック図である。
【図１Ｃ】本発明の一の実施の形態における貨幣処理システムの更に他の構成を示すブロック図である。
【図１Ｄ】本発明の一の実施の形態における貨幣処理システムの更に他の構成を示すブロック図である。
【図２Ａ】図１Ａや図１Ｂに示す貨幣処理システムにおける貨幣処理機の構成の概略を示す概略構成図である。
【図２Ｂ】図２Ａに示す貨幣処理機の斜視図である。
【図３Ａ】図２Ａや図２Ｂに示す貨幣処理機における紙幣処理装置の構成の概略を示す概略構成図である。
【図３Ｂ】図２Ａや図２Ｂに示す貨幣処理機における硬貨処理装置の構成の概略を示す概略構成図である。
【図３Ｃ】図２Ａや図２Ｂに示す貨幣処理機における包装硬貨投出装置の構成の概略を示す概略構成図である。
【図４】図２Ａや図２Ｂに示す貨幣処理機における制御ブロック図である。
【図５Ａ】図２Ａや図２Ｂに示す貨幣処理機における両替処理の一連の動作を示す説明図である。
【図５Ｂ】図２Ａや図２Ｂに示す貨幣処理機における両替処理の一連の動作を示す説明図である。
【発明を実施するための最良の形態】
【００１４】
以下、図面を参照して本発明の一の実施の形態の貨幣処理システムについて説明する。本実施の形態に係る貨幣処理システムは、収集特定者側に管理権限がある貨幣収納部と、店舗側に管理権限がある貨幣リサイクル処理部と、収集特定者側に管理権限がある包装硬貨投出部とを１つの筐体内に有する貨幣処理機において、中央制御装置と、貨幣収納部、貨幣リサイクル処理部および包装硬貨投出部との間でそれぞれ命令やデータの送受信が行えるようにしたものである。中央制御装置側より貨幣処理機の操作や管理を可能とすることで、貨幣処理機を配置した店舗毎に権限ある操作者を常時配置しなくとも運用することができる。
【００１５】
本実施の形態に係る貨幣処理システムは、硬貨および紙幣からなる貨幣の補充処理、納金処理、出金処理、引渡処理、大量引渡処理、両替処理、逆両替処理、精査処理、計数処理等を行う機能を有する貨幣処理機を備えたものである。図１乃至図５は、本発明の一の実施の形態における貨幣処理システムの構成を示す図である。このうち、図１Ａは、本実施の形態の貨幣処理システムの構成を示すブロック図であり、図１Ｂは、本実施の形態における貨幣処理システムの他の構成を示すブロック図である。また、図２Ａは、図１Ａや図１Ｂに示す貨幣処理システムにおける貨幣処理機の構成の概略を示す概略構成図であり、図２Ｂは、図２Ａに示す貨幣処理機の斜視図である。また、図３Ａは、図２Ａや図２Ｂに示す貨幣処理機における紙幣処理装置の構成の概略を示す概略構成図であり、図３Ｂは、図２Ａや図２Ｂに示す貨幣処理機における硬貨処理装置の構成の概略を示す概略構成図であり、図３Ｃは、図２Ａや図２Ｂに示す貨幣処理機における包装硬貨投出装置の構成の概略を示す概略構成図である。また、図４は、図２Ａや図２Ｂに示す貨幣処理機における制御ブロック図である。また、図５は、図２Ａや図２Ｂに示す貨幣処理機における両替処理の一連の動作を示す説明図である。
【００１６】
図１Ａに示すように、本実施の形態の貨幣処理システムは、店舗内に設置された貨幣処理機１０と、この貨幣処理機１０からそれぞれ隔離して店舗外に設けられた現金センター１３およびデータセンター１４とを備えている。現金センター１３およびデータセンター１４には、それぞれ中央制御装置が設置されている。以下の記載において、現金センター１３やデータセンター１４とは、それぞれ中央制御装置を意味している。貨幣処理機１０にはコントローラ１２が設けられており、このコントローラ１２は現金センター１３に有線または無線により通信接続されており、現金センター１３に対して信号の送受信を行うようになっている。このことにより、コントローラ１２を介して現金センター１３から貨幣処理機１０に対して遠隔操作を行うことができるようになっている。ここで、コントローラ１２は貨幣処理機１０に対して例えばＬＡＮ等により接続される通信制御装置や端末、もしくは、貨幣処理機１０に内蔵された通信部等である。
【００１７】
また、図１Ａに示すように、現金センター１３とデータセンター１４とは有線または無線により互いに通信接続されており、現金センター１３とデータセンター１４との間で様々なデータの送受信が行われるようになっている。このため、貨幣処理機１０からコントローラ１２を介して現金センター１３に送られた、貨幣処理機１０における紙幣や硬貨等の貨幣の処理状況に係る情報はデータセンター１４にも送られるようになっている。本発明においては、現金センター１３およびデータセンター１４にそれぞれ中央制御装置が設けられている。しかしながら、中央制御装置はこのような例に限定されることはなく、例えば現金センター１３のみ、あるいはデータセンター１４のみに設けられていてもよい。
【００１８】
本実施の形態の貨幣処理システムの構成は図１Ａに示すようなものに限定されることはなく、代わりに図１Ｂに示すようなものとすることもできる。図１Ｂに示すような貨幣処理システムは、貨幣処理機１０と、この貨幣処理機１０からそれぞれ隔離して店舗外に設けられた現金センター１３およびデータセンター１４とを備えている点では図１Ａに示す貨幣処理システムと略同一の構成となっているが、この貨幣処理機１０に設けられるコントローラ１７は機能の拡張性の高いコントローラとなっている。
【００１９】
コントローラ１７は、現金センター１３およびデータセンター１４にそれぞれ有線または無線により通信接続されており、現金センター１３およびデータセンター１４に対してそれぞれ信号の送受信を行うようになっている。
【００２０】
図１Ｂに示す貨幣処理システムにおけるコントローラ１７は機能の追加が可能であり、プリンタ１７ａ、カードリーダ１７ｂ、スキャナー１７ｃをそれぞれ接続することができるようになっている。プリンタ１７ａは、貨幣処理機１０における紙幣や硬貨等の貨幣の処理状況に係る情報等を印刷するよう構成されている。また、カードリーダ１７ｂは、貨幣処理機１０に備えているカードリーダに加えて接続でき、操作者が携帯しているＩＤカードのＩＤ情報を読み取るよう構成されている。そして、コントローラ１７に入力された操作者のＩＤ情報に係る信号により、操作者の識別が行われるようになっている。また、スキャナー１７ｃは、紙幣の記番号やバーコード等を撮像するよう構成されている。また、このコントローラ１７はルーターとしての機能も有している。
【００２１】
また、コントローラ１７には操作者のパーソナルコンピュータ１７ｄを接続することも可能となっている。この場合、コントローラ１７に接続されたパーソナルコンピュータ１７ｄにより操作者が貨幣処理機１０の操作を行うことができることとなる。また、このパーソナルコンピュータ１７ｄは、後述するデータセンター１４とも送受信可能とすることができるようになっている。
【００２２】
次に、図１Ａや図１Ｂに示す貨幣処理機１０の構成の詳細について図２乃至図４を用いて説明する。
【００２３】
図２Ａおよび図２Ｂに示すように、貨幣処理機１０は略直方体形状の筐体１１を備えており、この筐体１１には、貨幣処理機１０を前方から見て左側に配置された包装硬貨投出装置５０と、貨幣処理機１０を前方から見て右側の上部に配置された紙幣処理装置２０と、貨幣処理機１０を前方から見て中央の上部に配置された硬貨処理装置３０とがそれぞれ設けられている。また、貨幣処理機１０の筐体１１において、紙幣処理装置２０および硬貨処理装置３０の下方には、硬貨および紙幣の収納を行う貨幣収納部４０が設けられている。ここで、貨幣処理機１０のうち、紙幣処理装置２０および硬貨処理装置３０は店舗側の管理権限下（第１の管理権限下）にあり、貨幣収納部４０および包装硬貨投出装置５０は収集特定者側の管理権限下（第２の管理権限下）にある。
【００２４】
以下、紙幣処理装置２０、硬貨処理装置３０、貨幣収納部４０および包装硬貨投出装置５０の各構成要素について詳述する。
【００２５】
まず、紙幣処理装置２０の構成について図２Ａ、図２Ｂおよび図３Ａを用いて説明する。図２Ｂおよび図３Ａに示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図３Ａに示すように、紙幣処理装置２０の内部には、紙幣投入口２１に投入された紙幣を紙幣処理装置２０内で搬送する搬送部２５が設けられている。
【００２６】
紙幣投入口２１は、操作者により１または束状態の複数の紙幣が短手方向に一括して投入されるよう構成されている。図２Ｂに示すように、この紙幣投入口２１には紙幣ステージ２８が配設されている。この紙幣ステージ２８は、待機時には上昇位置にありこの際には操作者は紙幣投入口２１に紙幣を投入することができず、一方、紙幣の処理時には下降して操作者が紙幣投入口２１に紙幣を投入することができるように構成されている。図３Ａに示すように、紙幣投入口２１は搬送部２５に接続されており、紙幣投入口２１に投入された１または束状態の複数の紙幣は、１枚ずつ搬送部２５で搬送されるようになっている。
【００２７】
紙幣リジェクト口２２は、図３Ａに示すように搬送部２５に接続されており、紙幣投入口２１により紙幣処理装置２０内に取り込まれた紙幣のうち後述する識別部２６によりリジェクトすべき紙幣であると識別された紙幣が搬送部２５から送られるようになっている。操作者はこの紙幣リジェクト口２２に送られた紙幣を取り出すことができるようになっている。また、紙幣リジェクト口２２は、釣銭等を出金するための出金口を兼ねている。紙幣リジェクト口２２にはカバー（図示せず）が設けられており、待機時にはこのカバーは開状態となっており、処理時にはこのカバーは閉状態となる。
【００２８】
紙幣返却口２３には、図３Ａに示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、紙幣保留部２９の装置前面側の壁面が開いて、操作者は扉２４から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣収納カセット４１（後述）に送られる場合もある。
【００２９】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図３Ａに示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。図３Ａに示すように、搬送部２５は、紙幣投入口２１に投入された紙幣を紙幣リジェクト口２２、紙幣保留部２９または後述するリサイクル式紙幣収納部２７に搬送したり、あるいはリサイクル式紙幣収納部２７に一時的に収納された紙幣を紙幣リジェクト口２２や紙幣保留部２９に搬送したりするよう構成されている。
【００３０】
図３Ａに示すように、搬送部２５には、当該搬送部２５で搬送される紙幣の識別を１枚ずつ行う識別部２６が介設されている。この識別部２６は、搬送部２５で搬送される紙幣の金種、真偽、正損等を識別するようになっている。具体的には、識別部２６は、磁気センサや光学センサを有し、これらのセンサにより紙幣の金種や真偽等を１枚ずつ識別するようになっている。識別部２６による紙幣の識別結果は後述する制御部１５に送られるようになっている。
【００３１】
紙幣処理装置２０の内部には、リサイクル式紙幣収納部２７が複数（例えば３つ）並列に設けられている。ここで、複数のリサイクル式紙幣収納部２７ａ〜２７ｃは、概して金種別に用いられるようになっており、例えば日本円に係る紙幣を紙幣処理装置２０に処理させる場合には、千円札、５千円札、１万円札をそれぞれリサイクル式紙幣収納部２７ａ〜２７ｃに収納させるようになっている。場合によっては、リサイクル式紙幣収納部２７ｂに、２千円札と５千円札とを混合で収納する。なお、米ドル（１ドル札、２ドル札、５ドル札、１０ドル札、２０ドル札、５０ドル札、１００ドル札等）や人民元（１元札、５元札、１０元札、２０元札、５０元札、１００元札等）に係る紙幣を紙幣処理装置２０に処理させる場合には、これらの通貨に係る紙幣の金種は３つよりも多いため、リサイクル式紙幣収納部２７の数を増やすか、あるいはリサイクル式紙幣収納部２７に収納されるべき紙幣の金種を限定するようになっている。図３Ａに示すように、各リサイクル式紙幣収納部２７は、正逆両方向に回転可能なドラム２７ｐをそれぞれ有しており、各ドラム２７ｐに一対のテープが巻き取られるようになっている。搬送部２５から各リサイクル式紙幣収納部２７ａに送られた紙幣は、この一対のテープの間に挟まれた状態で１枚ずつ順次ドラム２７ｐにより巻き取られるようになっている。
【００３２】
更に詳しく説明すると、各ドラム２７ｐは、図３Ａの紙面に直交する軸を中心として図３Ａの時計回りおよび反時計回りの両方向に回転するようになっている。各ドラム２７ｐの外周面には、それぞれ、一対のテープの各端部が各々同じ箇所で取り付けられており、各ドラム２７ｐが図３Ａの反時計回りに回転することにより一対のテープがドラム２７ｐに巻き取られるようになっている。このドラム２７ｐの駆動は後述する制御部１５により制御されるようになっている。そして、搬送部２５から各リサイクル式紙幣収納部２７に送られた紙幣は、一対のテープの間に挟持され、各ドラム２７ｐが図３Ａの反時計回りに回転することによりこの紙幣は一対のテープごと各ドラム２７ｐに１枚ずつ巻き取られるようになっている。この際に、複数の紙幣は間隔をおいて１枚ずつ各ドラム２７ｐに巻き取られることとなる。一方、各ドラム２７ｐが図３Ａの時計回りに回転することにより、各ドラム２７ｐに巻き取られた一対のテープがこのドラム２７ｐから解放され、各リサイクル式紙幣収納部２７に収納された紙幣は搬送部２５に送られる。
【００３３】
なお、各リサイクル式紙幣収納部２７は、上述のような、ドラムおよび一対のテープからなり紙幣が一対のテープの間に挟まれた状態でこの一対のテープごとドラムにより巻き取られるような構成に限定されることはなく、他の構成とすることもできる。例えば、各リサイクル式紙幣収納部２７をスタッカ式のものとしてもよい。
【００３４】
紙幣保留部２９は、前述のように紙幣返却口２３に設けられており、図３Ａに示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。ここで、紙幣保留部２９にある紙幣を返却する場合には、前述のように、紙幣保留部２９の装置前面側の壁面が開いて、操作者は扉２４から紙幣を取り出すことができるようになっている。扉２４は、紙幣の取り出しが可能な状態になれば、自動的に開くようになっている。また、紙幣保留部２９に紙幣が保留される際に、紙幣は一時保留板に載せられるようになっており、紙幣保留部２９にある紙幣を紙幣収納カセット４１に収納させる際には、この紙幣収納カセット４１に設けられたステージが紙幣保留部２９の一時保留板に載せられた紙幣を迎えにいき、紙幣をステージ上に載せて紙幣保留部２９から紙幣収納カセット４１へ下降し、そしてステージ上の紙幣を上から押さえ部材で押さえて紙幣収納カセット４１へ収納するようになっている。
【００３５】
次に、硬貨処理装置３０の構成について図２Ａ、図２Ｂおよび図３Ｂを用いて説明する。図２Ｂおよび図３Ｂに示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクトを行ったり、硬貨処理装置３０内に取り込まれた硬貨のうち貨幣収納部４０に収納されない硬貨を硬貨処理装置３０の外部に返却したりする硬貨返却口３２とを備えている。また、図３Ｂに示すように、硬貨処理装置３０の内部には、硬貨投入口３１に投入された硬貨を硬貨処理装置３０内で搬送する搬送部３５が設けられている。
【００３６】
硬貨投入口３１は、操作者により１または複数の硬貨が一括して投入されるよう構成されている。この硬貨投入口３１に投入された硬貨は、硬貨処理装置３０の内部に送られるようになっている。
【００３７】
硬貨返却口３２は、搬送部３５の下流側端部に接続されており、この搬送部３５から送られた硬貨を貯留するようになっている。操作者はこの硬貨返却口３２に貯留された硬貨を取り出すことができるようになっている。ここで、硬貨返却口３２には、前述のように、硬貨処理装置３０内に取り込まれた硬貨のうち後述する識別部３５ａにより識別不能な硬貨等が送られるとともに、硬貨処理装置３０内に取り込まれた硬貨のうち貨幣収納部４０に収納されない硬貨が送られるようになっており、このような硬貨が硬貨返却口３２により硬貨処理装置３０の外部に返却されるようになっている。
【００３８】
図３Ｂに示すように、硬貨処理装置３０の内部には硬貨繰出部３３が設けられている。この硬貨繰出部３３は硬貨投入口３１に連通しており、操作者により硬貨投入口３１から投入された硬貨を一時的に貯留するとともに、この貯留された硬貨を後述する搬送部３５に繰り出すようになっている。硬貨繰出部３３には硬貨繰出用の回転円板（図示せず）が設置されており、この回転円板により硬貨が１枚ずつ搬送部３５に繰り出されるようになっている。
【００３９】
搬送部３５は、硬貨処理装置３０の内部で硬貨を１枚ずつ順次搬送する機能を有している。具体的には、搬送部３５において、硬貨は硬貨搬送ベルト（図示せず）によりやや斜めに立った状態で１枚ずつ間隔をおいて搬送されるようになっている。図３Ｂに示すように、搬送部３５の上流側端部および下流側端部は、硬貨繰出部３３および硬貨返却口３２にそれぞれ接続されている。
【００４０】
図３Ｂに示すように、搬送部３５には、当該搬送部３５で搬送される硬貨の識別を１枚ずつ行う識別部３５ａが介設されている。この識別部３５ａは、搬送部３５で搬送される硬貨の金種や真偽等を識別するようになっている。具体的には、識別部３５ａは、磁気センサや光学センサを有し、これらのセンサにより硬貨の金種や真偽等を１枚ずつ識別するようになっている。識別部３５ａによる紙幣の識別結果は後述する制御部１５に送られるようになっている。
【００４１】
硬貨処理装置３０の内部には、筒状の上入れ上出しタイプのリサイクル式硬貨収納部３４が複数（例えば６つ）並列に設けられており、各リサイクル式硬貨収納部３４はそれぞれ鉛直方向に延びるようになっている。ここで、複数のリサイクル式硬貨収納部３４ａ〜３４ｆは、概して金種別に用いられるようになっており、例えば日本円に係る硬貨を硬貨処理装置３０に処理させる場合には、１円硬貨、５円硬貨、１０円硬貨、５０円硬貨、１００円硬貨、５００円硬貨をそれぞれリサイクル式硬貨収納部３４ａ〜３４ｆに収納させるようになっている。なお、米ドル（１セント硬貨、５セント硬貨、１０セント硬貨、２５セント硬貨、５０セント硬貨、１ドル硬貨等）や人民元（１分硬貨、２分硬貨、５分硬貨、１角硬貨、５角硬貨、１元硬貨等）に係る硬貨を硬貨処理装置３０に処理させる場合には、これらの通貨の金種に対応するリサイクル式硬貨収納部３４がそれぞれ設けられている。各リサイクル式硬貨収納部３４には硬貨が積層状態で収納されるようになっている。
【００４２】
図３Ｂに示すように、搬送部３５の途中部分には、硬貨繰出部３３から下流側に向かって順に、間隔をおいて７つの選別孔３６が設けられている。ここで、７つの選別孔３６のうち最も上流側にある選別孔３６（オーバーフロー用の選別孔３６）は、搬送部３５から後述する横方向搬送部３８に直接硬貨を送るために設けられている。具体的には、最も上流側にある選別孔３６は、識別部３５ａによる硬貨の識別結果が所定の条件を満たしたときに（例えば、識別部３５ａにより識別された硬貨の金種に対応するリサイクル式硬貨収納部３４が満杯であったときに）、この硬貨を横方向搬送部３８上に送るようになっている。また、上流側から２番目〜７番目の選別孔３６は、それぞれ各リサイクル式硬貨収納部３４ａ〜３４ｆに対応するものである。
【００４３】
図３Ｂに示すように、鉛直方向にそれぞれ延びる各リサイクル式硬貨収納部３４の上部には、硬貨を一時的に保留する金種別硬貨一時保留部３９が設けられている。上述する各選別孔３６を介して搬送部３５から落下した硬貨は、まず金種別硬貨一時保留部３９により一時的に保留されるようになっている。この金種別硬貨一時保留部３９は、各々の金種の硬貨をそれぞれ例えば約１０枚保留することができるようになっている。そして、この金種別硬貨一時保留部３９に保留された硬貨が各リサイクル式硬貨収納部３４に収納されるようになっている。また、この金種別硬貨一時保留部３９は投出部材を有しており、この投出部材により、金種別硬貨一時保留部３９に保留された硬貨を後述する横方向搬送部３８上に投げ出すこともできるようになっている。
【００４４】
一方、各リサイクル式硬貨収納部３４内に収納された硬貨がこのリサイクル式硬貨収納部３４から取り出される場合には、まずリサイクル式硬貨収納部３４の下部に設けられたステージ（図示せず）が上方に持ち上げられ、ステージ上の硬貨が金種別硬貨一時保留部３９に送られ、そしてこの硬貨は金種別硬貨一時保留部３９の投出部材により横方向搬送部３８上に投げ出されるようになっている。
【００４５】
図３Ｂに示すように、硬貨処理装置３０の内部には硬貨保留部３７ａが設けられており、この硬貨保留部３７ａの上部にはシュート３７ｂが設置されている。ここで、後述する横方向搬送部３８からシュート３７ｂの上部に送られた硬貨は、当該シュート３７ｂ内を通過して硬貨保留部３７ａに送られるようになっている。硬貨保留部３７ａに一時的に保留された硬貨は、貨幣収納部４０内に配置された硬貨収納カセット４２（後述）に送られるようになっている。
【００４６】
図３Ｂに示すように、硬貨処理装置３０の内部において、鉛直方向にそれぞれ延びる各リサイクル式硬貨収納部３４の近傍には、例えば略水平方向に延びる循環ベルト３８ａを有する横方向搬送部３８が設けられている。この循環ベルト３８ａは同じ高さレベルに設置された２つのプーリに掛けられており、一方のプーリが正逆両方向に回転駆動されることにより循環ベルト３８ａは図３Ｂの時計回りおよび反時計回りの両方に循環移動可能となっている。横方向搬送部３８の一端は硬貨繰出部３３内に位置しており、横方向搬送部３８の他端はシュート３７ｂの上部の近傍に位置している。前述のように、横方向搬送部３８の循環ベルト３８ａは正逆両方向に回転することができるようになっており、循環ベルト３８ａが図３Ｂにおける反時計回りに回転したときには、横方向搬送部３８上にある硬貨は硬貨繰出部３３に送られるようになっている。一方、循環ベルト３８ａが図３Ｂにおける時計回りに回転したときには、横方向搬送部３８上にある硬貨はシュート３７ｂに送られ、最終的には硬貨保留部３７ａで保留されることとなる。
【００４７】
次に、貨幣収納部４０の構成について図２Ａおよび図２Ｂを用いて説明する。図２Ａおよび図２Ｂに示すように、貨幣収納部４０は、貨幣処理機１０の筐体１１の下部に設けられている。この貨幣収納部４０は、図３Ａおよび図３Ｂに示すように、紙幣を収納する紙幣収納カセット４１、および硬貨を収納する硬貨収納カセット４２を有している。紙幣収納カセット４１には、紙幣処理装置２０の紙幣保留部２９に保留された紙幣が収納されるようになっている（図３Ａ参照）。硬貨収納カセット４２には、硬貨処理装置３０の硬貨保留部３７ａに保留された硬貨が収納されるようになっている（図３Ｂ参照）。そして、例えば売上金の回収業務を委託された警備会社の警備員等の収集特定者によって、貨幣収納部４０の各カセット４１、４２が筐体１１の前面側へ引き出され、この収集特定者が各カセット４１、４２自体を回収するようになっている。
【００４８】
次に、包装硬貨投出装置５０の構成について図２Ａ、図２Ｂおよび図３Ｃを用いて説明する。図２Ｂおよび図３Ｃに示すように、包装硬貨投出装置５０は、筐体１１の内部に設けられた複数（例えば７つ）の収納カセット（包装硬貨収納部分）５１ａ〜５１ｇに金種毎に収納された包装硬貨を筐体１１の外部に出す機能を有している。
【００４９】
より具体的には、包装硬貨投出装置５０は、複数の包装硬貨をそれぞれ金種毎に収納する複数（例えば７つ）の収納カセット５１ａ〜５１ｇと、各収納カセット５１ａ〜５１ｇから包装硬貨が１つずつ送られる包装硬貨投出機構５３とを備えている。各収納カセット５１ａ〜５１ｇには、操作者が必要に応じて任意の金種の包装硬貨を手動で装填することができるようになっている。各収納カセット５１ａ〜５１ｇは、包装硬貨の長手方向が図３Ｃの紙面に対して垂直方向に延びるよう、複数の包装硬貨を収納するようになっている。すなわち、図３Ｃにおいて各収納カセット５１ａ〜５１ｇ内にある丸印はそれぞれ包装硬貨の断面を示しており、包装硬貨は図３Ｃの紙面に対して垂直方向に延びている。また、図３Ｃに示すように、各収納カセット５１ａ〜５１ｇはそれぞれ包装硬貨投出機構５３に向かってわずかに下方に傾斜しており、これらの収納カセット５１ａ〜５１ｇに収納された包装硬貨は自重により包装硬貨投出機構５３に向かって移動するようになっている。
【００５０】
包装硬貨投出機構５３は、各収納カセット５１ａ〜５１ｇから包装硬貨が１つずつ送られるようになっている。図３Ｃに示すように、包装硬貨投出機構５３は昇降移動するようになっており、各収納カセット５１ａ〜５１ｇの右端部の各高さレベルにそれぞれ移動して各収納カセット５１ａ〜５１ｇから包装硬貨を受け取るようになっている。より具体的には、包装硬貨投出機構５３にはタイミングベルト（図示せず）が取り付けられており、このタイミングベルトが駆動されることにより包装硬貨投出機構５３が昇降移動するようになっている。
【００５１】
また、収納カセット５１ａ〜５１ｇには、図３Ｃにおける当該収納カセット５１ａ〜５１ｇの左右方向に沿って移動する精査センサ部５２が設けられている。この精査センサ部５２は、各収納カセット５１ａ〜５１ｇに収納された包装硬貨の金種等の識別や、各収納カセット５１ａ〜５１ｇにおける包装硬貨の収納本数の検出等を行うようになっている。
【００５２】
また、図３Ｃに示すように、包装硬貨投出機構５３の上方にはシャッター５４が設けられている。このシャッター５４は通常は閉められており、操作者が操作部４５により制御部１５に対してシャッター開動作を指令したときに、包装硬貨投出機構５３が最も高レベルの位置に移動するとともにシャッター５４が開き、包装硬貨投出機構５３に収容された包装硬貨を操作者が取り出すことができるようになっている。
【００５３】
次に、貨幣処理機１０に設けられた他の様々な機構について説明する。図２Ｂに示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。
【００５４】
また、筐体１１の前面には、貨幣処理機１０における貨幣の処理内容等を印字するプリンタ４３、および操作者の操作権限の確認を行うためのカードリーダ４６がそれぞれ設けられている。カードリーダ４６は、操作者が携帯するＩＤカードのＩＤ情報の読み取りを行うようになっている。
【００５５】
次に、貨幣処理機１０における各構成要素の制御を行う制御部１５について図４を用いて説明する。制御部１５は貨幣処理機１０の筐体１１内に設置されている。
【００５６】
図４に示すように、制御部１５には、紙幣処理装置２０の各構成要素（例えば、搬送部２５、識別部２６、リサイクル式紙幣収納部２７、紙幣ステージ２８、紙幣保留部２９、扉２４等）、硬貨処理装置３０の各構成要素（例えば、硬貨繰出部３３、搬送部３５、識別部３５ａ、横方向搬送部３８、金種別硬貨一時保留部３９を含むリサイクル式硬貨収納部３４、硬貨保留部３７ａ等）、貨幣収納部４０、包装硬貨投出装置５０の各構成要素（精査センサ部５２、包装硬貨投出機構５３、シャッター５４）、表示部４４、操作部４５、プリンタ４３、カードリーダ４６、記憶部４７等が接続されている。また、制御部１５にはインターフェースを介してコントローラ１２（１７）が接続されている。
【００５７】
制御部１５には、紙幣処理装置２０の識別部２６による紙幣の識別結果や、硬貨処理装置３０の識別部３５ａによる硬貨の識別結果が送られるようになっている。また、制御部１５には、操作部４５からの入力やカードリーダ４６によりカードから読み取られた操作者のＩＤ情報等の情報が送られるようになっている。また、制御部１５には、精査センサ部５２により検出された、各収納カセット５１ａ〜５１ｇにおける包装硬貨の収納本数等の情報が送られるようになっている。
【００５８】
また、制御部１５は、貨幣処理機１０の操作が行われる際は操作部４５やカードリーダ４６から入力された操作者のＩＤ情報をもとに操作者の権限の確認を行う。また、制御部１５は、紙幣処理装置２０や硬貨処理装置３０、包装硬貨投出装置５０の各構成要素を制御したり、表示部４４、プリンタ４３等を制御したりするようになっている。
【００５９】
現金センター１３またはデータセンター１４は、コントローラ１２（１７）を介して、貨幣処理機１０に対して当該貨幣処理機１０の各種処理に係る指令の信号を送信するようになっている。具体的には、現金センター１３は貨幣処理機１０に対して、締めコマンド、引渡コマンド、警備回収コマンド、納金コマンド、出金コマンド、補充コマンド、精算コマンド、両替コマンド、逆両替コマンド、枚数計数コマンド、リセットコマンド、確定コマンド、スタートコマンド、ロック解除コマンド、およびプログラムダウンロードコマンドからなる群のうち少なくとも１つのコマンドに係る信号を送信するようになっている。
【００６０】
また、現金センター１３またはデータセンター１４は、コントローラ１２（１７）を介して、貨幣処理機１０から当該貨幣処理機１０における貨幣の処理状況に係る情報の信号を受信するようになっている。具体的には、データセンター１４は、締めデータ、引渡データ、警備回収データ、リサイクル式貨幣収納部在高データ、納金データ、出金データ、補充データ、精算データ、両替データ、逆両替データ、枚数計数データ、在高データ、システムデータ、障害データ、およびプログラムデータからなる群のうち少なくとも１つのデータに係る信号を貨幣処理機１０から受信するようになっている。
【００６１】
ここで、現金センター１３またはデータセンター１４は、コントローラ１２（１７）および制御部１５を介して、貨幣処理機１０の紙幣処理装置２０、硬貨処理装置３０、貨幣収納部４０および包装硬貨投出装置５０のそれぞれに対して信号の送受信を行うようになっている。
【００６２】
次に、このような構成からなる貨幣処理機１０の動作について説明する。
【００６３】
上述のような貨幣処理機１０の動作としては、インターフェース確認モード、運用モードおよび保守メンテナンスモードの３つのモードがある。操作者は、操作部４５により、インターフェース確認モード、運用モードあるいは保守メンテナンスモードを選択することができる。
【００６４】
インターフェース確認モードとは、貨幣処理機１０の初期状態において、すなわち貨幣処理機１０が導入された際に、インターフェース１６により貨幣処理機１０が上位装置等に通信接続されるか否かを確認するためのモードである。このようなインターフェース確認モードにおいて、インターフェース１６により貨幣処理機１０が上位装置等に通信接続されたときには、上位装置等から貨幣処理機１０に様々な設定データが送られる。
【００６５】
運用モードには、貨幣処理機１０が上位装置等に通信接続された状態のオンラインモードと、貨幣処理機１０と外部との通信接続が遮断された状態のオフラインモードの２つの状態がある。オンラインモードには開店モードと閉店モードの２つのモードがあり、開店モードにおいて、操作者は後述する補充処理、納金処理、出金処理、引渡処理、大量引渡処理、両替処理、逆両替処理、精査処理、計数処理等を行うことができる。また、この開店モードにおいては、例えば売上金の回収業務を委託された警備会社の警備員等の収集特定者によって、貨幣収納部４０の各カセット４１、４２自体の回収を行うこともできる。一方、閉店モードにおいては、収集特定者による貨幣収納部４０の各カセット４１、４２の回収のみしか行うことができない。なお、これらの開店モードおよび閉店モードの切り換えは、時間帯等による自動での切り替えも可能である。一方、オフラインモードにおいては、上位装置等に対する情報の伝達は行われず、納金処理等の処理結果は貨幣処理機１０の記憶部４７に記憶されることとなる。上述の各モードの選択は、操作者が操作部４５により選択することができる。
【００６６】
保守メンテナンスモードの際に、保守員が貨幣処理機１０の紙幣処理装置２０や硬貨処理装置３０、包装硬貨投出装置５０の各構成要素の保守メンテナンスを行う。このような保守メンテナンスは、貨幣処理機１０が設置された現場で行ってもよく、貨幣処理機１０を工場等に持ち帰ってこの工場内で行ってもよい。
【００６７】
上述した補充処理、納金処理、出金処理、引渡処理、大量引渡処理、両替処理、逆両替処理、精査処理、計数処理、締め処理、警備回収処理の各々の詳細について以下に説明する。以下に示す各処理は、制御部１５が各構成要素を制御することにより行われる。また、後に詳述するように、以下に示す補充処理、納金処理、出金処理、引渡処理、大量引渡処理、両替処理、逆両替処理、精査処理、計数処理、締め処理、警備回収処理の各々は、操作者により操作部４５を介して制御部１５に対して各種の命令がなされることにより、あるいは現金センター１３またはデータセンター１４からコントローラ１２（１７）を介して制御部１５に対して各種の命令がなされることにより行われる。
【００６８】
＜補充処理＞
まず、紙幣や硬貨の補充処理について簡単に説明する。紙幣や硬貨の補充処理とは、紙幣を金種別に紙幣処理装置２０の各リサイクル式紙幣収納部２７に補充したり、硬貨を金種別に硬貨処理装置３０の各リサイクル式硬貨収納部３４に補充したりする処理のことをいう。
【００６９】
＜納金処理＞
次に、紙幣や硬貨の納金処理について簡単に説明する。納金処理には、引渡連動形態のものと引渡非連動形態のものがある。引渡連動形態における納金処理とは、貨幣処理機１０に対して貨幣の納金を行い、そのまま後述する引渡処理が連続して実行されるモードのことをいう。具体的には、紙幣はリサイクル式紙幣収納部２７に一時保留し、その後、紙幣保留部２９に保留し、最後に紙幣収納カセット４１に収納させる。また、硬貨は金種別硬貨一時保留部３９に保留し、その後、硬貨保留部３７ａに保留し、最後に硬貨収納カセット４２に収納させる。一方、引渡非連動形態における納金処理は、単に貨幣処理機１０に対して貨幣の納金のみが行われるモードのことをいう。その後、貨幣収納部４０へ貨幣の引き渡しを行いたければ、独立して引渡処理（後述）を行うこととなる。なお、引渡連動形態および引渡非連動形態は、貨幣処理機１０の設置時に設定されるようになっている。
【００７０】
＜出金処理＞
次に、紙幣や硬貨の出金処理について簡単に説明する。紙幣や硬貨の出金処理とは、紙幣処理装置２０の各リサイクル式紙幣収納部２７に収納された紙幣を当該紙幣処理装置２０の外部に出したり、硬貨処理装置３０の各リサイクル式硬貨収納部３４に収納された硬貨を当該硬貨処理装置３０の外部に出したりする処理のことをいう。
【００７１】
また、出金処理としては、包装硬貨投出装置５０の各収納カセット５１ａ〜５１ｇに収納された包装硬貨を包装硬貨投出装置５０の外部に出すような処理も挙げられる。包装硬貨投出装置５０の各収納カセット５１ａ〜５１ｇに収納された包装硬貨が当該包装硬貨投出装置５０から投出された場合には、この包装硬貨の管理権限が第２の管理権限下（収集特定者側の管理権限下）から第１の管理権限下（店舗側の管理権限下）に変更される。また、この際に、包装硬貨投出装置５０から投出された包装硬貨に相当する金額が、店舗に関連する金融機関の口座から、収集特定者に関連する金融機関の口座に入金される。すなわち、店舗側からすれば、包装硬貨投出装置５０から投出された包装硬貨の現物を得る代わりに、この投出された包装硬貨に相当する金額が、店舗に関連する金融機関の口座から差し引かれることとなる。
【００７２】
＜引渡処理＞
次に、紙幣や硬貨の引渡処理について説明する。ここで、紙幣や硬貨の引渡処理とは、紙幣処理装置２０の各リサイクル式紙幣収納部２７に収納された紙幣を貨幣収納部４０の紙幣収納カセット４１に送ったり、硬貨処理装置３０の各リサイクル式硬貨収納部３４に収納された硬貨を貨幣収納部４０の硬貨収納カセット４２に送ったりする処理のことをいう。このような引渡処理が行われると、各リサイクル式紙幣収納部２７や各リサイクル式硬貨収納部３４から貨幣収納部４０に送られた紙幣や硬貨の管理権限は第１の管理権限下（店舗側の管理権限下）から第２の管理権限下（収集特定者側の管理権限下）に変更される。そして、各リサイクル式紙幣収納部２７や各リサイクル式硬貨収納部３４における紙幣や硬貨の在高は、引渡処理が行われた紙幣や硬貨の金額分だけ減少し、一方、貨幣収納部４０の紙幣収納カセット４１や硬貨収納カセット４２における紙幣や硬貨の在高は、引渡処理が行われた紙幣や硬貨の金額分だけ増加する。
【００７３】
上述のような引渡処理において、各リサイクル式紙幣収納部２７や各リサイクル式硬貨収納部３４に収納された紙幣や硬貨が貨幣収納部４０に送られると、この紙幣や硬貨に相当する金額が、収集特定者に関連する金融機関の口座から、店舗に関連する金融機関の口座に入金される。すなわち、店舗側からすれば、貨幣収納部４０に送られた紙幣や硬貨の現物を失う代わりに、この貨幣収納部４０に送られた紙幣や硬貨に相当する金額が、店舗に関連する金融機関の口座に入金されることとなる。
【００７４】
＜大量引渡処理＞
次に、紙幣や硬貨の大量引渡処理について簡単に説明する。ここで、紙幣や硬貨の大量引渡処理とは、大量の紙幣を貨幣収納部４０の紙幣収納カセット４１内に引渡したり、大量の硬貨を貨幣収納部４０の硬貨収納カセット４２内に引渡したりする処理のことをいう。このような大量引渡処理においても、上述した引渡処理と同様に、紙幣処理装置２０や硬貨処理装置３０から貨幣収納部４０に送られた紙幣や硬貨の管理権限は第１の管理権限下（店舗側の管理権限下）から第２の管理権限下（収集特定者側の管理権限下）に変更される。また、貨幣収納部４０に送られた紙幣や硬貨に相当する金額が、収集特定者に関連する金融機関の口座から、店舗に関連する金融機関の口座に入金される。
【００７５】
＜両替処理、逆両替処理＞
次に、紙幣や硬貨の両替処理および逆両替処理について説明する。ここで、紙幣や硬貨の両替処理および逆両替処理とは、紙幣や硬貨を紙幣処理装置２０内や硬貨処理装置３０内に取り込み、合計金額は同じであるが紙幣処理装置２０内や硬貨処理装置３０内に取り込んだ紙幣や硬貨の金種とは異なる金種の紙幣や硬貨を紙幣処理装置２０や硬貨処理装置３０の外部に戻すような処理のことをいう。
【００７６】
また、両替処理や逆両替処理において、紙幣や硬貨を紙幣処理装置２０内や硬貨処理装置３０内に取り込み、包装硬貨投出装置５０から包装硬貨を投出するようにすることもできる。より具体的には、紙幣処理装置２０内や硬貨処理装置３０内に取り込まれた紙幣や硬貨の金額に、この金額からサービス使用料を減算した金額の包装硬貨が、あるいは紙幣処理装置２０内や硬貨処理装置３０内に取り込まれた紙幣や硬貨の金額と同じ金額の包装硬貨が、包装硬貨投出装置５０から投出されることとなる。また、この際に、包装硬貨投出装置５０から包装硬貨を投出するとともに、紙幣処理装置２０のリサイクル式紙幣収納部２７に一時的に収納された紙幣が当該紙幣処理装置２０から投出されるようになっていてもよい。また、両替処理や逆両替処理において硬貨処理装置３０からバラ硬貨が投出されるようになっていてもよい。
【００７７】
更に詳しく述べると、操作者により操作部４５を介して制御部１５に対して両替処理の命令がなされたときに、あるいは現金センター１３またはデータセンター１４からコントローラ１２（１７）を介して制御部１５に対して両替処理の命令がなされたときに、図５Ａに示すように、貨幣処理機１０の制御部１５は、紙幣処理装置２０や硬貨処理装置３０に投入された紙幣や硬貨を貨幣収納部４０に引き渡す。この際に、紙幣処理装置２０や硬貨処理装置３０から貨幣収納部４０に引き渡された紙幣や硬貨の管理権限は、第１の管理権限下（店舗側の管理権限下）から第２の管理権限下（収集特定者側の管理権限下）に変更される。
【００７８】
その後、制御部１５は、図５Ｂに示すように、包装硬貨投出装置５０を制御することにより両替貨幣である包装硬貨を包装硬貨投出装置５０から投出させる。この際に、包装硬貨投出装置５０から投出された包装硬貨の管理権限は、第２の管理権限下（収集特定者側の管理権限下）から第１の管理権限下（店舗側の管理権限下）に変更される。また、制御部１５は、包装硬貨投出装置５０から包装硬貨を投出させるとともに、紙幣処理装置２０を制御することにより、紙幣処理装置２０のリサイクル式紙幣収納部２７に一時的に収納された紙幣を当該紙幣処理装置２０から投出させてもよい（図５Ｂ参照）。また、バラ硬貨を硬貨処理装置３０から投出させてもよい。そして、制御部１５は、この両替処理に関する情報を、コントローラ１２（１７）を介して現金センター１３やデータセンター１４に送信する。
【００７９】
また、両替処理や逆両替処理において、包装硬貨投出装置５０から包装硬貨を投出させるにあたり、次のような動作を行うようになっていてもよい。まず、操作者により操作部４５を介して制御部１５に対して両替処理の命令がなされたときに、あるいは現金センター１３またはデータセンター１４からコントローラ１２（１７）を介して制御部１５に対して両替処理の命令がなされたときに、図５Ａに示すように、貨幣処理機１０の制御部１５は、紙幣処理装置２０や硬貨処理装置３０に投入された紙幣や硬貨を貨幣収納部４０に引き渡す。この際に、紙幣処理装置２０や硬貨処理装置３０から貨幣収納部４０に引き渡された紙幣や硬貨の管理権限は、第１の管理権限下（店舗側の管理権限下）から第２の管理権限下（収集特定者側の管理権限下）に変更される。
【００８０】
そして、制御部１５は、この引渡処理（収納処理）に関する情報を、コントローラ１２（１７）を介して現金センター１３やデータセンター１４に送信する。現金センター１３またはデータセンター１４は、このような引渡処理に関する情報が妥当であるか否かを判断する。具体的には、操作者によって操作部４５により入力された貨幣の金額と、実際に貨幣収納部４０に引き渡された貨幣の金額とが一致しているか否かを判断する。そして、現金センター１３やデータセンター１４が、引渡処理に関する情報が妥当であると判断した場合には、制御部１５に対して両替処理に関する情報を送信する。そして、制御部１５は、現金センター１３やデータセンター１４から送信された両替処理に関する情報に基づいて、包装硬貨投出装置５０を制御することにより両替貨幣である包装硬貨を包装硬貨投出装置５０から投出させる。この際に、包装硬貨投出装置５０から投出された包装硬貨の管理権限は、第２の管理権限下（収集特定者側の管理権限下）から第１の管理権限下（店舗側の管理権限下）に変更される。また、制御部１５は、包装硬貨投出装置５０から包装硬貨を投出させるとともに、紙幣処理装置２０を制御することにより、紙幣処理装置２０のリサイクル式紙幣収納部２７に一時的に収納された紙幣を当該紙幣処理装置２０から投出させてもよい（図５Ｂ参照）。また、バラ硬貨を硬貨処理装置３０から投出させてもよい。
【００８１】
上述のような両替処理や逆両替処理において、操作者により操作部４５を介して制御部１５に対して両替処理の命令がなされたときに、あるいは現金センター１３またはデータセンター１４からコントローラ１２（１７）を介して制御部１５に対して両替処理の命令がなされたときに、１または複数の両替金種および各両替金種における貨幣の数量または金額も制御部１５に対して入力されるようになっている。そして、制御部１５は、当該制御部１５に入力された両替金種の貨幣を入力された数量または金額分だけ貨幣処理機１０から投出させるようになっている。具体的には、例えば、制御部１５は、当該制御部１５に入力された両替金種の包装硬貨および／または紙幣を、入力された数量または金額分だけ包装硬貨投出装置５０および／または紙幣処理装置２０から投出させるように、包装硬貨投出装置５０および／または紙幣処理装置２０を制御するようになっている。
【００８２】
また、図４に示すように、貨幣処理機１０において、制御部１５には記憶部４７が接続されている。この記憶部４７には、貨幣の両替処理に係る１または複数の両替金種および各両替金種における貨幣の数量または金額からなる両替パターンに係る情報が操作者毎に１または複数記憶されている。
【００８３】
そして、操作者が携帯するＩＤカードのＩＤ情報の読み取りがカードリーダ４６により行われ、操作者の情報が特定された場合、制御部１５は、この操作者に対応する、記憶部４７に記憶された１または複数の両替パターンを表示部４４に表示させる。ここで、操作者の情報の特定を行うにあたり、他の手段として、操作者の生体認証を行うようになっていてもよい。そして、表示部４４に表示された１または複数の両替パターンから、操作者によって操作部４５により特定の両替パターンが選択されると、制御部１５は、この選択された両替パターンにおける両替金種の貨幣を、記憶部４７に記憶された数量または金額分だけ貨幣処理機１０から投出させるようになっている。具体的には、例えば、制御部１５は、記憶部４７に記憶され操作部４５により選択された両替金種の包装硬貨および／または紙幣を、記憶部４７に記憶された数量または金額分だけ包装硬貨投出装置５０および／または紙幣処理装置２０から投出させるように、包装硬貨投出装置５０および／または紙幣処理装置２０を制御するようになっている。
【００８４】
なお、貨幣の両替処理に係る１または複数の両替金種および各両替金種における貨幣の数量または金額からなる両替パターンに係る情報を、操作者毎に１または複数記憶する記憶部としては、貨幣処理機１０において制御部１５に接続されたもの（記憶部４７）に限定されることはない。他の態様としては、操作者が携帯するＩＤカードに制御部が設けられていてもよい。
【００８５】
＜精査処理＞
次に、紙幣や硬貨の精査処理について簡単に説明する。紙幣の精査処理とは、紙幣処理装置２０内にある紙幣を計数し、紙幣リジェクト口２２に出して枚数や金額を確認した後、再度入金させるような処理のことをいう。また、硬貨の精査処理とは、硬貨処理装置３０内にある硬貨を計数し、硬貨返却口３２に出して枚数や金額を確認した後、再度入金させるような通常の精査処理方法と、各リサイクル式硬貨収納部３４にある硬貨を横方向搬送部３８上へ送り、硬貨繰出部３３により繰り出して搬送部３５で搬送し、金種別硬貨一時保留部３９から各リサイクル式硬貨収納部３４に戻すようにした自動精査処理方法の２つの方法がある。ここで、硬貨の精査処理において、前者の方法を行うか後者の方法を行うかは、操作者が表示部４４を見ながら操作部４５により選択することができるようになっている。
【００８６】
＜計数処理＞
次に、紙幣や硬貨の計数処理について簡単に説明する。紙幣や硬貨の計数処理とは、手元にある紙幣や硬貨がいくらあるかを計数する処理である。具体的には、紙幣の計数処理とは、紙幣処理装置２０内に紙幣を送り、正常な紙幣については紙幣保留部２９で一時保留し、異常な紙幣については紙幣リジェクト口２２に送ってリジェクトし、この際に紙幣の計数を行い、最終的に扉２４が自動的に開いて紙幣保留部２９にある紙幣が操作者により取り出されるような処理のことをいう。一方、硬貨の計数処理とは、硬貨処理装置３０内に硬貨を送り、正常な硬貨についてはオーバーフロー用の選別孔３６を通って横方向搬送部３８に送られ、異常な硬貨については硬貨返却口３２に送られ、このリジェクト硬貨を取り除いてから、横方向搬送部３８に送られた硬貨を硬貨繰出部３３、搬送部３５を介して硬貨返却口３２に送ってこの硬貨返却口３２にある硬貨が操作者により取り出されるような処理のことをいう。
【００８７】
＜締め処理＞
次に、締め処理について簡単に説明する。操作者により操作部４５を介して制御部１５に対して締め命令がなされると、あるいは現金センター１３またはデータセンター１４からコントローラ１２（１７）を介して制御部１５に対して締め命令がなされると、処理期間内に、具体的には前回の締め処理から今回の締め処理までの間に、引渡処理によって紙幣収納カセット４１に収納された紙幣および硬貨収納カセット４２に収納された硬貨の金種別枚数または合計金額もしくは金種別金額のデータである締めデータを集計する。そして、この締めデータが中央制御装置に送信される。
【００８８】
＜警備回収処理＞
次に、警備回収処理について説明する。操作者により操作部４５を介して警備回収処理の指令が制御部１５に送られたとき、制御部１５は貨幣収納部４０の扉のロックを解除し、紙幣収納カセット４１と硬貨収納カセット４２とを取り出し可能とする。収集特定者側の警備員等が、各カセットを取り出して代わりのカセットと交換して扉を閉じると、回収された紙幣や硬貨の金種別枚数または合計金額もしくは金種別金額のデータである警備回収データを中央制御装置に送信する。
【００８９】
以上の各処理は、納金処理の引渡連動態様の引渡処理を除き、操作部４５を操作して各処理を選択する等の必要な入力を行い、スタートキーを押下することにより開始される。また、補充処理、納金処理においては、取消キーが押下できるタイミングで確定キーを押下すると、処理が確定して終了する。
【００９０】
あるいは、前述のように、現金センター１３またはデータセンター１４が貨幣処理機１０に対して、締め命令、引渡命令、警備回収命令、納金命令、出金命令、補充命令、精算命令、両替命令、逆両替命令、枚数計数命令、リセット命令、確定命令、スタート命令、ロック解除命令、およびプログラムダウンロード命令からなる群のうち少なくとも１つの命令に係る信号を送信するようになっている。これらの命令は、上述の各処理における操作部４５の操作に代わるものである。
【００９１】
また、貨幣処理機１０から現金センター１３またはデータセンター１４に、締めデータ、引渡データ、警備回収データ、リサイクル式貨幣収納部在高データ、納金データ、出金データ、補充データ、精算データ、両替データ、逆両替データ、枚数計数データ、在高データ、システムデータ、障害データ、およびプログラムデータからなる群のうち少なくとも１つのデータに係る信号を送信するようになっている。
【００９２】
このようにデータセンター１４または現金センター１３から貨幣処理機１０の情報を得ることができるので、店舗内に権限のある操作者が常駐していなくとも、貨幣処理システムの運用ができる。各データについて、データを取得した日時や店舗識別情報、貨幣処理機識別情報を含め、いつ、どの貨幣処理機から取得したデータであるかを明確にする。また、締めデータ、引渡データ、警備回収データ、納金データ、出金データ、補充データ、精算データ、両替データ、逆両替データ、枚数計数データおよび障害データについては、操作者のＩＤ情報等、操作者に関する情報や操作を行った日時も含めることにより、誰がいつどの貨幣処理機１０にどのように貨幣に関する操作を行ったのかを管理することができる。
【００９３】
以上の実施の形態では、現金センター１３とデータセンター１４は同じ権限を持った中央制御装置として説明を行ったが、権限を異ならせることもできる。
【００９４】
具体的には、図１Ｃに示すように、現金センター１３は収集特定者の管理下とし、収集特定者に管理権限がある貨幣収納部４０および包装硬貨投出装置５０に関するデータや命令の送受信が可能であり、一方、データセンター１４は店舗側の管理下とし、店舗側に管理権限がある貨幣リサイクル処理部（リサイクル式紙幣収納部２７やリサイクル式硬貨収納部３４）に関するデータや命令の送受信が可能であるという構成としてもよい。このとき、現金センター１３とデータセンター１４との間で必要なデータの交換をするようにしてもよい。
【００９５】
この場合、店舗に権限のある操作者を配置することなく、貨幣処理システムを運用しつつ、自らの管理権限下にある部分へ、他者がアクセスすることを防ぐことができる。
【００９６】
また、図１Ｄに示すように、データセンター１４が貨幣処理機１０から貨幣リサイクル処理部（リサイクル式紙幣収納部２７やリサイクル式硬貨収納部３４）に関するデータ等を受信し、これを現金センター１３に転送し、これに基づいて現金センター１３から貨幣処理機１０にコマンドを送信するようにしてもよい。
【００９７】
この場合、店舗に権限のある操作者を配置することなく、複数の中央制御装置が存在しても権限のある操作者は現金センター１３に配置するだけで、貨幣処理システムを運用することができる。
【００９８】
以上のように本実施の形態の貨幣処理システムによれば、貨幣処理機１０には、包装硬貨を収納カセット（包装硬貨収納部分）５１ａ〜５１ｇに収納するとともにこれらの収納カセット（包装硬貨収納部分）５１ａ〜５１ｇに収納された包装硬貨を外部に投出する包装硬貨投出装置５０が設けられており、現金センター１３やデータセンター１４に設けられた中央制御装置は、貨幣処理機１０における貨幣収納部４０および包装硬貨投出装置５０のそれぞれに対して信号の送受信を行うようになっている。このように、貨幣処理機１０に包装硬貨投出装置５０を設け、中央制御装置と包装硬貨投出装置５０との間で信号の送受信を行うことができるようにすることにより、店舗の釣銭等の準備金として、バラ紙幣やバラ硬貨の他に包装硬貨を準備することができる。
【図１Ａ】
0005499187.tif 000002
【図１Ｂ】
0005499187.tif 000003
【図１Ｃ】
0005499187.tif 000004
【図１Ｄ】
0005499187.tif 000005
【図２Ａ】
0005499187.tif 000006
【図２Ｂ】
0005499187.tif 000007
【図３Ａ】
0005499187.tif 000008
【図３Ｂ】
0005499187.tif 000009
【図３Ｃ】
0005499187.tif 000010
【図４】
0005499187.tif 000011
【図５Ａ】
0005499187.tif 000012
【図５Ｂ】
0005499187.tif 000013